(57)【要約】【課題】薄型化を実現しつつ、読取部の画像読取品質の低下を抑制できる画像読取装置を提供する。【解決手段】画像読取装置１は、読取部１０１と、収容部１００Ａに読取部１０１を保持するホルダ１００と、収容部１００Ａに対して第２方向の他方側に配される主シート２００と、主シート２００における第１方向の一端部２００Ｌ及び他端部２００Ｒに第２方向の他方側から当接し、第２方向の一方側に屈曲する第１、２副シート３１０、３２０と、第１、２副シート３１０、３２０に第２方向の他方側から当接し、第１、２副シート３１０、３２０及び主シート２００を介して読取部１０１を第２方向の一方側に押圧する第１押圧部材４１０及び第２押圧部材４２０とを備える。第１、２副シート３１０、シート３２０には、第３、４壁部１３０、１４０に沿って第１方向に延びる一対のスリット３１９Ａ、３１９Ｂ、３２９Ａ、３２９Ｂが形成される。【選択図】図７
2015050503.tif 000002
【特許請求の範囲】
【請求項１】
第１方向に延びるとともに、前記第１方向と直交する第２方向の一方側からの光に基づき、画像を読み取る読取部と、
前記読取部を前記第１方向の一方側から囲う第１壁部と、前記読取部を前記第１方向の他方側から囲う第２壁部と、前記読取部を前記第１方向及び前記第２方向と直交する第３方向の一方側から囲う第３壁部と、前記読取部を前記第３方向の他方側から囲う第４壁部とを有し、前記第１壁部、前記第２壁部、前記第３壁部及び前記第４壁部に囲まれてなる収容部に前記読取部を保持するとともに、透光性を有して前記第２方向の一方側から前記収容部を塞ぐ読取窓が形成されたホルダと、
前記収容部に対して前記第２方向の他方側に配される樹脂製の主シートと、
前記主シートにおける前記第１方向の一端部に前記第２方向の他方側から当接し、前記第２方向の一方側に屈曲して、前記第３壁部及び前記第４壁部における前記第１方向の一端部に前記第３方向の一方側及び他方側から当接する樹脂製の第１副シートと、
前記主シートにおける前記第１方向の他端部に前記第２方向の他方側から当接し、前記第２方向の一方側に屈曲して、前記第３壁部及び前記第４壁部における前記第１方向の他端部に前記第３方向の一方側及び他方側から当接する樹脂製の第２副シートと、
前記ホルダにおける前記第１方向の一端部に係合するとともに、前記第１副シートに前記第２方向の他方側から当接し、前記第１副シート及び前記主シートを介して前記読取部を前記第２方向の一方側に押圧する第１押圧部材と、
前記ホルダにおける前記第１方向の他端部に係合するとともに、前記第２副シートに前記第２方向の他方側から当接し、前記第２副シート及び前記主シートを介して前記読取部を前記第２方向の一方側に押圧する第２押圧部材とを備え、
前記第１副シート及び前記第２副シートには、前記第３壁部及び前記第４壁部に沿って前記第１方向に延びるように切り欠かれた一対のスリットが形成されていることを特徴とする画像読取装置。
【請求項２】
前記第１副シートは、前記第３壁部及び前記第４壁部における前記第１方向の一端部に接着層を介して接着され、
前記第２副シートは、前記第３壁部及び前記第４壁部における前記第１方向の他端部に接着層を介して接着されている請求項１記載の画像読取装置。
【請求項３】
前記第１副シート及び前記第２副シートには、前記第１方向に延びた後に前記第３方向に屈曲するように切り欠かれた前記スリットが形成されている請求項１又は２記載の画像読取装置。
【請求項４】
前記主シートは、前記読取部より前記第１方向の長さが小さく、
前記第１壁部には、前記第３方向の両端において前記第２方向の他方側に突出する一対の第１突起が形成され、
前記第２壁部には、前記第３方向の両端において前記第２方向の他方側に突出する一対の第２突起が形成され、
前記第１副シートには、前記第１方向の一方側の一対の角部が段差状に切り欠かれて前記一対の第１突起に当接可能な一対の第１段部が形成され、
前記第２副シートには、前記第１方向の他方側の一対の角部が段差状に切り欠かれて前記一対の第２突起に当接可能な一対の第２段部が形成されている請求項１乃至３のいずれか１項記載の画像読取装置。
【請求項５】
前記第１壁部及び前記第２壁部の少なくとも一方における前記収容部とは反対側を向く外面には、前記第１方向に突出又は凹んで前記画像読取装置の構成部材と係合し、前記ホルダの位置決めを行う位置決め部が形成され、
前記第１副シート及び前記第２副シートは、前記第１方向において前記位置決め部から離間している請求項１乃至４のいずれか１項記載の画像読取装置。
【請求項６】
前記読取部における前記第１方向の一端部と、前記第３壁部及び前記第４壁部における前記第１方向の一端部との間には、前記ホルダに対して前記読取部が前記第２方向の他方側に離脱することを規制する第１規制部が設けられ、
前記読取部における前記第１方向の他端部と、前記第３壁部及び前記第４壁部における前記第１方向の他端部との間には、前記ホルダに対して前記読取部が前記第２方向の他方側に離脱することを規制する第２規制部が設けられ、
前記第１副シートは前記第１規制部を覆い、前記第２副シートは前記第２規制部を覆っている請求項１乃至５のいずれか１項記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、読取部とホルダと第１押圧部材と第２押圧部材とを備えている。特許文献１では、読取部は、符号４３、４４、３５によって図示されている。ホルダは、符号４２によって図示されている。
【０００３】
読取部は、第１方向に延びるとともに、第１方向と直交する第２方向の一方側からの光に基づき、画像を読み取る。
【０００４】
ホルダは、第１壁部と第２壁部と第３壁部と第４壁部とを有している。第１壁部は、読取部を第１方向の一方側から囲っている。第２壁部は、読取部を第１方向の他方側から囲っている。第３壁部は、読取部を第１方向及び第２方向と直交する第３方向の一方側から囲っている。第４壁部は、読取部を第３方向の他方側から囲っている。ホルダは、第１壁部、第２壁部、第３壁部及び第４壁部に囲まれてなる収容部に読取部を保持している。さらに、ホルダには、読取窓と底壁部とが形成されている。読取窓は、透光性を有して第２方向の一方側から収容部を塞いでいる。底壁部は、第２方向の他方側から収容部を塞いでいる。
【０００５】
第１押圧部材は、ホルダを支持するキャリッジに係合するとともに、ホルダの底壁部における第１方向の一端部に第２方向の他方側から当接している。第２押圧部材は、ホルダを支持するキャリッジに係合するとともに、ホルダの底壁部における第１方向の他端部に第２方向の他方側から当接している。第１押圧部材及び第２押圧部材は、ホルダを介して、読取部を第２方向の一方側に押圧している。
【０００６】
この画像読取装置では、底壁部が第２方向の他方側から収容部を塞ぐことにより、収容部に紙粉等の異物が進入し難くなっている。
【先行技術文献】
【特許文献】
【０００７】
【特許文献１】特開２０１２−１５１５７０号公報
【発明の概要】
【発明が解決しようとする課題】
【０００８】
ところで、上記従来の画像読取装置に対しては、薄型化のために、ホルダから底壁部を除去することが考えられる。この場合、ホルダから底壁部が除去されてなる開口を経由して、異物が収容部に進入し易くなり、読取部や読取窓に付着するおそれがある。すると、読取部がその異物を画像の一部として読み取ってしまい、その結果、読取部の画像読取品質が低下するおそれがある。
【０００９】
本発明は、上記従来の実情に鑑みてなされたものであって、薄型化を実現しつつ、読取部の画像読取品質の低下を抑制できる画像読取装置を提供することを目的とする。
【課題を解決するための手段】
【００１０】
本発明の画像読取装置は、第１方向に延びるとともに、前記第１方向と直交する第２方向の一方側からの光に基づき、画像を読み取る読取部と、
前記読取部を前記第１方向の一方側から囲う第１壁部と、前記読取部を前記第１方向の他方側から囲う第２壁部と、前記読取部を前記第１方向及び前記第２方向と直交する第３方向の一方側から囲う第３壁部と、前記読取部を前記第３方向の他方側から囲う第４壁部とを有し、前記第１壁部、前記第２壁部、前記第３壁部及び前記第４壁部に囲まれてなる収容部に前記読取部を保持するとともに、透光性を有して前記第２方向の一方側から前記収容部を塞ぐ読取窓が形成されたホルダと、
前記収容部に対して前記第２方向の他方側に配される樹脂製の主シートと、
前記主シートにおける前記第１方向の一端部に前記第２方向の他方側から当接し、前記第２方向の一方側に屈曲して、前記第３壁部及び前記第４壁部における前記第１方向の一端部に前記第３方向の一方側及び他方側から当接する樹脂製の第１副シートと、
前記主シートにおける前記第１方向の他端部に前記第２方向の他方側から当接し、前記第２方向の一方側に屈曲して、前記第３壁部及び前記第４壁部における前記第１方向の他端部に前記第３方向の一方側及び他方側から当接する樹脂製の第２副シートと、
前記ホルダにおける前記第１方向の一端部に係合するとともに、前記第１副シートに前記第２方向の他方側から当接し、前記第１副シート及び前記主シートを介して前記読取部を前記第２方向の一方側に押圧する第１押圧部材と、
前記ホルダにおける前記第１方向の他端部に係合するとともに、前記第２副シートに前記第２方向の他方側から当接し、前記第２副シート及び前記主シートを介して前記読取部を前記第２方向の一方側に押圧する第２押圧部材とを備え、
前記第１副シート及び前記第２副シートには、前記第３壁部及び前記第４壁部に沿って前記第１方向に延びるように切り欠かれた一対のスリットが形成されていることを特徴とする。
【００１１】
本発明の画像読取装置では、上記従来の画像読取装置が有していた底壁部をホルダから無くし、その代わりに、上記構成を有する主シート、第１副シート、第２副シート、第１押圧部材及び第２押圧部材によって収容部を塞ぐことにより、薄型化を実現している。
【００１２】
ここで、仮に、第１副シート及び第２副シートが無く、主シートにおける第１方向の一端部及び他端部が第２方向の一方側に屈曲して、第３壁部及び第４壁部における第１方向の一端部及び他端部に第３方向の一方側及び他方側から当接する構成を考える。この場合、主シートにおける第１方向の一端部及び他端部が第２方向の一方側に屈曲する際の復元力によって第２方向の他方側に膨らみ易いので、第１押圧部材及び第２押圧部材を第２方向の他方側に押し戻してしまう場合がある。この場合、主シートと、第１壁部、第２壁部、第３壁部及び第４壁部との間で隙間が生じ、異物が収容部に進入し易くなる。また、主シートにおける第１方向の一端部及び他端部が第２方向の一方側に屈曲する際の復元力を弱めるため、第３壁部及び第４壁部に沿って第１方向に延びるように切り欠かれたスリットが主シートに形成されることが考えられるが、そのようなスリットを介して異物が収容部に進入し易くなる。
【００１３】
この点、本発明の画像読取装置では、第１副シート及び第２副シートが第２方向の一方側に屈曲して、第３壁部及び第４壁部における第１方向の一端部及び他端部に第３方向の一方側及び他方側から当接する。そして、第１副シート及び第２副シートには、第３壁部及び第４壁部に沿って第１方向に延びるように切り欠かれた一対のスリットが形成されている。これにより、第１副シート及び第２副シートは、第２方向の一方側に屈曲する際の復元力が小さくなるので、第２方向の他方側に膨らみ難く、第１押圧部材及び第２押圧部材を第２方向の他方側に押し戻し難い。このため、第１押圧部材及び第２押圧部材は、第１副シート、第２副シート及び主シートを介して読取部を第２方向の一方側に好適に押圧でき、収容部を主シート、第１副シート及び第２副シートによって確実に塞ぐことができる。その結果、この画像読取装置では、紙粉等の異物が収容部に進入して読取部や読取窓に付着することを抑制できる。
【００１４】
したがって、本発明の画像読取装置では、薄型化を実現しつつ、読取部の画像読取品質の低下を抑制できる。
【００１５】
第１副シートは、第３壁部及び第４壁部における第１方向の一端部に接着層を介して接着されていることが望ましい。第２副シートは、第３壁部及び第４壁部における第１方向の他端部に接着層を介して接着されていることが望ましい。この構成によれば、第１副シート及び第２副シートと、第３壁部及び第４壁部における第１方向の一端部及び他端部との密着性が向上する。その結果、この画像読取装置では、収容部を主シート、第１副シート及び第２副シートによって一層確実に塞ぐことができる。
【００１６】
第１副シート及び第２副シートには、第１方向に延びた後に第３方向に屈曲するように切り欠かれたスリットが形成されていることが望ましい。この構成によれば、第１副シート及び第２副シートは、上記のように形成された各スリットにより、第２方向の一方側に屈曲する際の復元力が一層小さくなるので、第２方向の他方側に一層膨らみ難い。
【００１７】
主シートは、読取部より第１方向の長さが小さいことが望ましい。第１壁部には、第３方向の両端において第２方向の他方側に突出する一対の第１突起が形成されていることが望ましい。第２壁部には、第３方向の両端において第２方向の他方側に突出する一対の第２突起が形成されていることが望ましい。そして、第１副シートには、第１方向の一方側の一対の角部が段差状に切り欠かれて一対の第１突起に当接可能な一対の第１段部が形成されていることが望ましい。第２副シートには、第１方向の他方側の一対の角部が段差状に切り欠かれて一対の第２突起に当接可能な一対の第２段部が形成されていることが望ましい。
【００１８】
この構成によれば、第１突起、第２突起、第１段部及び第２段部により、第１副シート及び第２副シートをホルダにおける第１方向の一端部及び他端部に対して位置決めし易い。また、主シートの第１方向の長さが読取部の第１方向の長さより小さい代わりに、第１方向の一方側にある第１副シートが一対の第１突起の間で読取部における第１方向の一方側の端部まで延びてその端部を覆うとともに、第１方向の他方側にある第２副シートが一対の第２突起の間で読取部における第１方向の他方側の端部まで延びてその端部を覆う。これにより、収容部全体を主シート、第１副シート及び第２副シートによって確実に塞ぐことができる。
【００１９】
第１壁部及び第２壁部の少なくとも一方における収容部とは反対側を向く外面には、第１方向に突出又は凹んで画像読取装置の構成部材と係合し、ホルダの位置決めを行う位置決め部が形成されていることが望ましい。そして、第１副シート及び第２副シートは、第１方向において位置決め部から離間していることが望ましい。この構成によれば、位置決め部が第１副シート及び第２副シートに邪魔されることなく、ホルダを位置決めできる。
【００２０】
読取部における第１方向の一端部と、第３壁部及び第４壁部における第１方向の一端部との間には、ホルダに対して読取部が第２方向の他方側に離脱することを規制する第１規制部が設けられていることが望ましい。読取部における第１方向の他端部と、第３壁部及び第４壁部における第１方向の他端部との間には、ホルダに対して読取部が第２方向の他方側に離脱することを規制する第２規制部が設けられていることが望ましい。そして、第１副シートは第１規制部を覆い、第２副シートは第２規制部を覆っていることが望ましい。この構成によれば、第１副シート及び第２副シートにより、第１規制部及び第２規制部からの異物の進入も抑制できる。
【図面の簡単な説明】
【００２１】
【図１】実施例の画像読取装置に係り、トレイが開いた状態の主に前方を示す斜視図である。
【図２】実施例の画像読取装置に係り、トレイが開いた状態を示す模式上面図である。
【図３】実施例の画像読取装置に係り、図２のＡ−Ａ断面を示す断面図である。
【図４】実施例の画像読取装置に係り、図２のＢ−Ｂ断面であって、トレイが閉じた状態を示す断面図である。
【図５】実施例の画像読取装置に係り、上側のＣＩＳモジュール、ホルダ、主シート、第１副シート、第２副シート、第１押圧部材及び第２押圧部材の主に前方を示す分解斜視図である。
【図６】実施例の画像読取装置に係り、（ａ）は上側のＣＩＳモジュール及びホルダの主に後方を示す斜視図であり、（ｂ）は上側のＣＩＳモジュール及びホルダに主シートを取り付けた状態の主に後方を示す斜視図である。
【図７】実施例の画像読取装置に係り、上側のＣＩＳモジュール及びホルダに主シート、第１副シート、第２副シート、第１押圧部材及び第２押圧部材を取り付けた状態の主に前方を示す部分斜視図である。
【図８】実施例の画像読取装置に係り、上側のＣＩＳモジュール及びホルダに主シート、第１副シート、第２副シート、第１押圧部材及び第２押圧部材を取り付けた状態の主に後方を示す部分斜視図である。
【図９】実施例の画像読取装置に係り、下側のＣＩＳモジュール、ホルダ、主シート、第１副シート、第２副シート、第１押圧部材及び第２押圧部材の主に前方を示す分解斜視図である。
【図１０】実施例の画像読取装置に係り、下側のＣＩＳモジュール及びホルダに主シート、第１副シート、第２副シート、第１押圧部材及び第２押圧部材を取り付けた状態の主に前方を示す部分斜視図である。
【発明を実施するための形態】
【００２２】
以下、本発明を具体化した実施例を図面を参照しつつ説明する。
【００２３】
（実施例）
図１に示すように、実施例の画像読取装置１は、本発明の画像読取装置の具体的態様の一例である。図１では、排出口１３側を装置の前側と規定し、排出口１３に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００２４】
＜全体構成＞
図１〜図４に示すように、画像読取装置１は、筐体３０と、トレイ３６とを備えている。筐体３０は、第１筐体３１と第２筐体３２とを有している。
【００２５】
第１筐体３１は、第２筐体３２の上側に位置している。第１筐体３１と第２筐体３２とは、上下方向の間隔を有して互いに対向している。第２筐体３２は、左右一対のサイドカバー３３Ｌ、３３Ｒを有している。各サイドカバー３３Ｌ、３３Ｒは、上側に延びて第１筐体３１を左右方向の外側から挟んでいる。
【００２６】
第１筐体３１は、上面３１Ａ、前面３１Ｂ及び上側案内面３１Ｇを有している。上面３１Ａは、上側を向く平面である。上面３１Ａの中央には、タッチパネル７０が設けられている。前面３１Ｂは、前側を向く平面である。前面３１Ｂは、上面３１Ａの前端縁に連続し、下側に向かって垂直に延びている。上側案内面３１Ｇは、下側を向く屈曲平面である。上側案内面３１Ｇは、上面３１Ａの後端縁の下側から前側に向かって下り傾斜している。上側案内面３１Ｇは、第１筐体３１における前後方向の略中央において水平に向きを変える。上側案内面３１Ｇは、前側に向かって略水平に延びて、前面３１Ｂの下端縁３１ＢＡに連続している。
【００２７】
第２筐体３２は、前面３２Ｂ、下側案内面３２Ｇ及び後面３２Ｃを有している。前面３２Ｂは、前側を向く平面である。前面３２Ｂの上端縁３２ＢＡは、前面３１Ｂの下端縁３１ＢＡに対して、隙間を有して下側に離間している。前面３２Ｂは、下側に向かって垂直に延びている。下側案内面３２Ｇは、上側を向く屈曲平面である。下側案内面３２Ｇは、後面３２Ｃの上端縁の上側から上側案内面３１Ｇに沿うように前側に向かって下り傾斜している。下側案内面３２Ｇは、第２筐体３２における前後方向の中央において水平に向きを変える。下側案内面３２Ｇは、前側に向かって水平に延びて、前面３２Ｂの上端縁３２ＢＡに連続している。後面３２Ｃは、後側を向く平面である。
【００２８】
図４に示すように、第２筐体３２は、下側カード案内面３２Ｊ及び上側カード案内面３２Ｈを有している。下側カード案内面３２Ｊは、下側案内面３２Ｇの水平部分における右端部に連続し、後側に向かって水平に延びて後面３２Ｃまで達している。上側カード案内面３２Ｈは、下側カード案内面３２Ｊに対して上側に離間している。上側カード案内面３２Ｈは、下側カード案内面３２Ｊと平行に、後側に向かって水平に延びて後面３２Ｃまで達している。上側カード案内面３２Ｈの上下方向の位置は、上側案内面３１Ｇの水平部分の上下方向の位置とほぼ同じである。下側カード案内面３２Ｊが下側案内面３２Ｇの水平部分における右端部に連続する位置を合流位置Ｊ１とする。
【００２９】
なお、上側案内面３１Ｇ、下側案内面３２Ｇ、上側カード案内面３２Ｈ及び下側カード案内面３２Ｊは、平滑な平面からなる構成に限定されず、複数のリブの先端縁等によって構成されていてもよい。
【００３０】
図１〜図４に示すように、筐体３０には、第１導入口１１と排出口１３とが形成されている。図１及び図３に示すように、第１導入口１１に、シートＳＨが挿入される。シートＳＨは、例えば、用紙やＯＨＰシート等である。シートＳＨは、例えば、幅の広いものではレターサイズやＡ４サイズの用紙等であり、幅の狭いものでは葉書等である。なお、幅の狭い名刺やカード等については、屈曲平面である上側案内面３１Ｇ及び下側案内面３２Ｇに沿って案内されることが可能な程度に薄く曲り易い場合には、シートＳＨに含まれ得る。
【００３１】
より詳しくは、第１導入口１１は、第１筐体３１と第２筐体３２との間に形成されている。第１導入口１１は、上側案内面３１Ｇの後端縁３１ＧＡと、下側案内面３２Ｇの後端縁３２ＧＡとの隙間である。第１導入口１１は、右側のサイドカバー３３Ｒの近傍から左側のサイドカバー３３Ｌの近傍まで、左右方向に延びている。第１導入口１１の左右方向の長さは、シートＳＨの幅よりも長い。
【００３２】
排出口１３からシートＳＨが排出される。排出口１３は、第１筐体３１と第２筐体３２との間に形成されている。より詳しくは、排出口１３は、前面３１Ｂの下端縁３１ＢＡと、前面３２Ｂの上端縁３２ＢＡとの隙間である。排出口１３は、右側のサイドカバー３３Ｒの近傍から左側のサイドカバー３３Ｌの近傍まで、左右方向に延びている。排出口１３の左右方向の長さは、第１導入口１１と同様、シートＳＨの幅よりも長い。
【００３３】
図２〜図４に示すように、画像読取装置１は、第１ガイド部１０を備えている。第１ガイド部１０は、第１筐体３１の上側案内面３１Ｇと、第２筐体３２の下側案内面３２Ｇとに上下方向から挟まれてなる通路である。第１ガイド部１０は、第１搬送経路Ｐ１を形成している。第１ガイド部１０は、第１搬送経路Ｐ１に沿って、シートＳＨを後側の第１導入口１１から前側の排出口１３へ案内する。
【００３４】
第１ガイド部１０は、第１導入口１１から前側に向かって下り傾斜している。第１ガイド部１０は、筐体３０における前後方向の中央において屈曲して前側に向きを変更する屈曲部分を有している。第１ガイド部１０は、屈曲部分から排出口１３まで水平に延びている。合流位置Ｊ１は、第１ガイド部１０の屈曲部分近傍に位置している。
【００３５】
図２及び図４に示すように、筐体３０には、第２導入口１２が形成されている。第２導入口１２に、幅の狭いカードＣＡが挿入される。カードＣＡは、例えば、名刺、キャッシュカード、会員証又は免許証等である。
【００３６】
より詳しくは、第２導入口１２は、第２筐体３２の後面３２Ｃにおける上下方向の中間部、かつ右側のサイドカバー３３Ｒ側に開口している。第２導入口１２の左右方向の長さは、第１導入口１１の左右方向の長さよりも小さい。また、第２導入口１２の左右方向の長さは、カードＣＡの幅よりも長い。第２導入口１２の上下方向の位置は、第１ガイド部１０の水平部分及び排出口１３の上下方向の位置とほぼ同じである。第２導入口１２は、第１導入口１１の右端側と上下方向において重なる位置にある。
【００３７】
図１及び図４に示すように、排出口１３の右端側から、カードＣＡが排出される。要するに、排出口１３からは、第１導入口１１から挿入されたシートＳＨ及び第２導入口１２から挿入されたカードＣＡが共通して排出される。
【００３８】
図２及び図４に示すように、画像読取装置１は、第２ガイド部２０を備えている。第２ガイド部２０は、第２筐体３２の上側カード案内面３２Ｈと下側カード案内面３２Ｊとに上下方向から挟まれて直線状に延びる通路である。第２ガイド部２０は、合流位置Ｊ１において、第１ガイド部１０に合流する。
【００３９】
図２に示すように、第１ガイド部１０の右端側において、第２ガイド部２０と同じ幅で合流位置Ｊ１から排出口１３まで延びる領域をカード搬送領域２９とする。第２ガイド部２０と、カード搬送領域２９とは、第２搬送経路Ｐ２を形成している。第２搬送経路Ｐ２は、後側の第２導入口１２から前側の排出口１３の右端側まで水平に延びている。
【００４０】
第２ガイド部２０は、第２導入口１２から挿入されたカードＣＡを第２搬送経路Ｐ２に沿って第１ガイド部１０に合流するように案内する。そして、第１ガイド部１０のカード搬送領域２９は、そのカードＣＡを第２搬送経路Ｐ２に沿って排出口１３の右端側へ案内する。
【００４１】
図１〜図４に示すように、トレイ３６は、基部３６Ａ、中間部３６Ｂ及び先端部３６Ｃが連結されてなる。基部３６Ａは、左右方向に延びる開閉軸心Ｘ３６Ａ周りに揺動可能に各サイドカバー３３Ｌ、３３Ｒに支持されている。中間部３６Ｂの中央には、操作開口３９が矩形状に開口している。
【００４２】
トレイ３６が図１〜図３に示すように開いた状態では、基部３６Ａ、中間部３６Ｂ及び先端部３６Ｃが下側案内面３２Ｇの傾斜部分に連続するように後側に向かって上り傾斜し、第１導入口１１を開放している。トレイ３６が開いた状態において、基部３６Ａ、中間部３６Ｂ及び先端部３６Ｃの上側を向く面は、保持面３６Ｈを構成している。ユーザがトレイ３６に１枚又は複数枚のシートＳＨを載置すると、保持面３６ＨがそのシートＳＨを下側から保持する。
【００４３】
一方、トレイ３６が図４に示すように閉じた状態では、基部３６Ａが垂直になって第２筐体３２の後面３２Ｃと面一になり、中間部３６Ｂが第１筐体３１の上面３１Ａを上側から覆い、先端部３６Ｃが第１筐体３１の前面３１Ｂを前側から覆っている。この状態では、操作開口３９がタッチパネル７０を外部に露出させている。
【００４４】
図１及び図３に示すように、画像読取装置１は、左右一対の幅規制部３６Ｇを備えている。各幅規制部３６Ｇは、左右方向に摺動可能に基部３６Ａに設けられて、保持面３６Ｈ上に突出している。各幅規制部３６Ｇは、トレイ３６の保持面３６Ｈに保持されるシートＳＨを左右方向の外側から挟んで左右方向の位置決めを行う。
【００４５】
図２〜図４に示すように、画像読取装置１は、回路基板５４と駆動源４０Ｍと搬送部４０と読取ユニット５５とを備えている。
【００４６】
図３及び図４に示すように、回路基板５４は、第２筐体３２の底部に配されている。回路基板５４は、ＣＰＵ、ＲＯＭ及びＲＡＭ等からなる制御回路を有している。回路基板５４には、ＡＣアダプタ及び給電コードを介して、家庭用コンセントから電力が供給される。回路基板５４は、駆動源４０Ｍ、読取ユニット５５、タッチパネル７０等に電気的に接続され、適宜それらに電力を供給して制御を行う。
【００４７】
図２に示すように、駆動源４０Ｍは、第２筐体３２内における左側のサイドカバー３３Ｌ側に設けられている。駆動源４０Ｍは、図示しないモータ及び伝達ギヤ群を有している。駆動源４０Ｍは、回路基板５４に制御されることにより駆動力を発生する。
【００４８】
図２〜図４に示すように、搬送部４０は、分離ローラ４８、分離パッド４９、上流側搬送部４１及び下流側搬送部４２を有している。第１ガイド部１０において、後側から前側から向かって、すなわちシートＳＨの搬送方向の上流側から下流側に向かって、分離ローラ４８及び分離パッド４９、上流側搬送部４１、読取ユニット５５、下流側搬送部４２がこの順番で配置されている。以下、この順番で、これらの構成を説明する。
【００４９】
図２及び図３に示すように、分離ローラ４８は、第２筐体３２内に回転可能に支持されている。分離ローラ４８の上部は、下側案内面３２Ｇの傾斜部分から第１ガイド部１０に露出している。分離ローラ４８は、第１ガイド部１０における左右方向の中央部に配されている。分離ローラ４８は、回路基板５４が駆動源４０Ｍを制御することにより、駆動源４０Ｍに回転駆動される。分離ローラ４８は、トレイ３６の保持面３６Ｈに保持されたシートＳＨに当接しつつ回転することにより、そのシートＳＨを第１ガイド部１０に送り出す。
【００５０】
図３に示すように、分離パッド４９は、第１筐体３１に組み付けられている。分離パッド４９は、上側案内面３１Ｇにおいて第１ガイド部１０に露出している。分離パッド４９は、図示しない付勢部材に付勢されて、分離ローラ４８に押し付けられている。これにより、分離ローラ４８と分離パッド４９とは、第１ガイド部１０において搬送されるシートＳＨを挟んで一枚ずつ分離し得る。
【００５１】
図２〜図４に示すように、上流側搬送部４１は、第１搬送ローラ対４１Ａ、４１Ｂと第２搬送ローラ対４１Ｄとを有している。第１搬送ローラ対４１Ａ、４１Ｂ及び第２搬送ローラ対４１Ｄは、搬送方向において同じ位置に配されている。第１搬送ローラ対４１Ａ、４１Ｂ及び第２搬送ローラ対４１Ｄはそれぞれ、駆動源４０Ｍに駆動されて回転する駆動ローラと、その駆動ローラと対向する従動ローラとからなる。
【００５２】
第１搬送ローラ対４１Ａ、４１Ｂは、カード搬送領域２９の外側に位置している。第１搬送ローラ対４１Ａ、４１Ｂは、第１ガイド部１０においてシートＳＨをニップして搬送する。第２搬送ローラ対４１Ｄは、カード搬送領域２９の内側に位置している。第２搬送ローラ対４１Ｄは、第１ガイド部１０のカード搬送領域２９においてカードＣＡをニップして搬送する。また、第２搬送ローラ対４１Ｄは、シートＳＨがカード搬送領域２９を通過する程度に幅が広い場合に、そのシートＳＨをニップして搬送する。
【００５３】
図２〜図４に示すように、読取ユニット５５は、上側読取ユニット５５Ａと下側読取ユニット５５Ｂとを有している。上側読取ユニット５５Ａは、第１ガイド部１０における上側案内面側３１Ｇ側に設けられている。下側読取ユニット５５Ｂは、第１ガイド部１０における下側案内面３２Ｇ側に設けられている。上側読取ユニット５５Ａは、下側読取ユニット５５Ｂより排出口１３側に位置している。図２に示すように、上側読取ユニット５５Ａ及び下側読取ユニット５５Ｂは、右側のサイドカバー３３Ｒの近傍から左側のサイドカバー３３Ｌの近傍まで、左右方向に延びている。
【００５４】
より詳しくは、図５〜図８に示すように、上側読取ユニット５５Ａは、ＣＩＳモジュール１０１とホルダ１００と主シート２００と第１副シート３１０と第２副シート３２０と第１押圧部材４１０と第２押圧部材４２０とを備えている。ＣＩＳモジュール１０１は、本発明の「読取部」の一例である。
【００５５】
図９及び図１０に示すように、下側読取ユニット５５Ｂも、ＣＩＳモジュール１０１とホルダ１００と主シート２００と第１副シート３１０と第２副シート３２０と第１押圧部材４１０と第２押圧部材４２０とを備えている。下側読取ユニット５５Ｂは、上側読取ユニット５５Ａと部品構成が同じであり、第１搬送経路Ｐ１を挟んで上側読取ユニット５５Ａとは反対側に配置されることによる形状等の変更がなされている。例えば、上側読取ユニット５５Ａのホルダ１００は、上側案内面３１Ｇの一部を構成し、下側読取ユニット５５Ｂのホルダ１００は、上側案内面３２Ｇの一部を構成している。また、上側読取ユニット５５Ａのホルダ１００の第１筐体３１に対する組み付け構造と、下側読取ユニット５５Ｂのホルダ１００の第２筐体３２に対する組み付け構造とは相違している。このような相違点により、ホルダ１００等の構成部品の形状は、上側読取ユニット５５Ａと下側読取ユニット５５Ｂとで一部異なっている。以下の説明では、上側読取ユニット５５Ａについて説明し、下側読取ユニット５５Ｂについては、上側読取ユニット５５Ａとの相違点以外は説明を省略する。
【００５６】
本実施例では、第１方向は左右方向である。第１方向の一方側は左側である。第１方向の他方側は右側である。第１方向と直交する第２方向は、上下方向である。第２方向の一方側は、上側読取ユニット５５Ａにおいては下側であり、下側読取ユニット５５Ｂにおいては上側である。第２方向の他方側は、上側読取ユニット５５Ａにおいては上側であり、下側読取ユニット５５Ｂにおいては下側である。第１方向及び第２方向と直交する第３方向は、前後方向である。第３方向の一方側は後側である。第３方向の他方側は前側である。
【００５７】
図５及び図６（ａ）に示すように、ＣＩＳモジュール１０１は、Ｃｏｎｔａｃｔ  Ｉｍａｇｅ  Ｓｅｎｓｏｒを構成する複数の読取素子や回路が一枚の回路基板に集約されてなる。回路基板は、左右方向に細長い矩形状とされ、その下側には、複数の読取素子が左右方向に並んでいる。
【００５８】
図３〜図６（ａ）に示すように、ホルダ１００は、上側が開放された略箱状の樹脂成形体である。ホルダ１００は、第１壁部１１０と第２壁部１２０と第３壁部１３０と第４壁部１４０とを有している。
【００５９】
図５及び図６（ａ）に示すように、第１壁部１１０は、ホルダ１００の左側面を形成している。第２壁部１２０は、ホルダ１００の右側面を形成している。第３壁部１３０は、左右方向に延びてホルダ１００の後面を形成している。第４壁部１４０は、左右方向に延びてホルダ１００の前面を形成している。
【００６０】
ホルダ１００には、第１壁部１１０、第２壁部１２０、第３壁部１３０及び第４壁部１４０に囲まれてなる収容部１００Ａが形成されている。ホルダ１００は、収容部１００ＡにＣＩＳモジュール１０１を保持している。この状態で、第１壁部１１０は、ＣＩＳモジュール１０１を左側から囲っている。第２壁部１２０は、ＣＩＳモジュール１０１を右側から囲っている。第３壁部１３０は、ＣＩＳモジュール１０１を後側から囲っている。第４壁部１４０は、ＣＩＳモジュール１０１を前側から囲っている。
【００６１】
図３及び図４に示すように、ホルダ１００の下側には、コンタクトガラス１０９が装着されている。コンタクトガラス１０９は、本発明の「読取窓」の一例である。コンタクトガラス１０９は、透光性を有して下側から収容部１００Ａを塞いでいる。ＣＩＳモジュール１０１は、下側からコンタクトガラス１０９を通過して到達する光に基づき、シートＳＨ及びカードＣＡの上面の画像を読み取る。
【００６２】
図５に示すように、ＣＩＳモジュール１０１の左端部１０１Ｌと第３壁部１３０の左端部１３０Ｌとの間には、第１規制部１３１Ｌが設けられている。図６に示すように、ＣＩＳモジュール１０１の左端部１０１Ｌと第４壁部１４０の左端部１４０Ｌとの間には、第１規制部１４１Ｌが設けられている。
【００６３】
図５に示すように、ＣＩＳモジュール１０１の右端部１０１Ｒと第３壁部１３０の右端部１３０Ｒとの間には、第２規制部１３１Ｒが設けられている。図６に示すように、ＣＩＳモジュール１０１の右端部１０１Ｒと第４壁部１４０の右端部１４０Ｒとの間には、第２規制部１４１Ｒが設けられている。
【００６４】
図５に示すように、ＣＩＳモジュール１０１の中央部と第３壁部１３０の中央部との間には、第３規制部１３１Ｃが設けられている。図６に示すように、ＣＩＳモジュール１０１の中央部と第４壁部１４０の中央部との間には、第３規制部１４１Ｃが設けられている。
【００６５】
第１規制部１３１Ｌ、１４１Ｌ、第２規制部１３１Ｒ、１４１Ｒ及び第３規制部１３１Ｃ、１４１Ｃはそれぞれ、ホルダ１００側に形成された溝と、ＣＩＳモジュール１０１側に形成された鍵爪とからなる。第１規制部１３１Ｌ、１４１Ｌ、第２規制部１３１Ｒ、１４１Ｒ及び第３規制部１３１Ｃ、１４１Ｃは、溝に鍵爪が係合することにより、ホルダ１００に対してＣＩＳモジュール１０１が上側に離脱することを規制する。
【００６６】
図６及び図８に示すように、第１壁部１１０における収容部１００Ａとは反対側を向く外面１１５には、位置決め部１１０Ｇが形成されている。位置決め部１１０Ｇは、左側に突出する凸部である。図５及び図７に示すように、第２壁部１２０における収容部１００Ａとは反対側を向く外面１２５には、位置決め部１２０Ｇが形成されている。位置決め部１２０Ｇは、右側に突出する凸部である。図２に示すように、位置決め部１１０Ｇ、１２０Ｇは、筐体３０内における各サイドカバー３３Ｌ、３３Ｒの近傍に配置された係合部３３Ｇと係合することにより、ホルダ１００の前後方向及び左右方向の位置決めを行う。
【００６７】
図５〜図８に示すように、主シート２００は、樹脂製の薄いシートである。主シート２００は、収容部１００Ａに対して上側に配されている。主シート２００は、ＣＩＳモジュール１０１の左端部１０１Ｌから右端部１０１Ｒまでを覆うように左右方向に細長く延びている。主シート２００は、前縁側と後縁側とで下側に屈曲している。ただし、図６（ｂ）に示すように、主シート２００の左端部２００Ｌ及び右端部２００Ｒでは、その屈曲して垂れ下がる長さが極めて短くなっており、第１規制部１３１Ｌ、１４１Ｌ及び第２規制部１３１Ｒ、１４１Ｒを殆ど覆わないようになっている。
【００６８】
図５及び図６（ｂ）に示すように、主シート２００において左端部２００Ｌと右端部２００Ｒとの間で屈曲して垂れ下がる部分は、第３壁部１３０及び第４壁部１４０に接着層２００Ｂを介して接着されるとともに、第３規制部１３１Ｃ、１４１Ｃを覆っている。
【００６９】
図５、図７及び図８に示すように、第１副シート３１０は、樹脂製の薄いシートである。第１副シート３１０は、主シート２００の左端部２００Ｌに上側から当接している。第１副シート３１０は、前縁側と後縁側とで下側に屈曲している。第１副シート３１０の屈曲して垂れ下がる部分は、第１規制部１３１Ｌ、１４１Ｌを覆う程度に長く延びており、第３壁部１３０の左端部１３０Ｌに後側から当接し、第４壁部１４０の左端部１４０Ｌに前側から当接している。第１副シート３１０の屈曲して垂れ下がる部分は、第３壁部１３０の左端部１３０Ｌ及び第４壁部１４０の左端部１４０Ｌに接着層３１０Ｂを介して接着されており、第１規制部１３１Ｌ、１４１Ｌを覆っている。
【００７０】
第１副シート３１０には、一対のスリット３１９Ａ、３１９Ｂが形成されている。後側のスリット３１９Ａは、第３壁部１３０の上端縁に沿って左側から右側に向かって延びた後に前側に屈曲するように切り欠かれている。前側のスリット３１９Ｂは、第４壁部１４０の上端縁に沿って左側から右側に向かって延びた後に後側に屈曲するように切り欠かれている。図８に示すように、第１副シート３１０の左端縁は、位置決め部１１０Ｇに対して右側に離間している。
【００７１】
図５、図７及び図８に示すように、第２副シート３２０は、樹脂製の薄いシートであり、第１副シート３１０と同一部材である。第２副シート３２０は、第１副シート３１０を上下方向に延びる回転軸周りで１８０°回転させただけである。第２副シート３２０は、主シート２００の右端部２００Ｒに上側から当接している。第２副シート３２０は、前縁側と後縁側とで下側に屈曲している。第２副シート３２０の屈曲して垂れ下がる部分は、第２規制部１３１Ｒ、１４１Ｒを覆う程度に長く延びており、第３壁部１３０の右端部１３０Ｒに後側から当接し、第４壁部１４０の右端部１４０Ｒに前側から当接している。第２副シート３２０の屈曲して垂れ下がる部分は、第３壁部１３０の右端部１３０Ｒ及び第４壁部１４０の右端部１４０Ｒに接着層３２０Ｂを介して接着されており、第２規制部１３１Ｒ、１４１Ｒを覆っている。
【００７２】
第２副シート３２０には、一対のスリット３２９Ａ、３２９Ｂが形成されている。後側のスリット３２９Ａは、第３壁部１３０の上端縁に沿って右側から左側に向かって延びた後に前側に屈曲するように切り欠かれている。前側のスリット３２９Ｂは、第４壁部１４０の上端縁に沿って右側から左側に向かって延びた後に後側に屈曲するように切り欠かれている。図７に示すように、第２副シート３２０の右端縁は、位置決め部１２０Ｇに対して右側に離間している。
【００７３】
図５、図７及び図８に示すように、第１押圧部材４１０は、バネ線材が折り曲げられてなる。第１押圧部材４１０は、前後方向に延びる直線部分４１０Ｓと、その直線部分４１０Ｓの前後端に連続する一対の係合部分４１０Ｃとを有している。各係合部分４１０Ｃは、右側に向かって下り傾斜し、その先端側がコイル状に折り曲げられている。
【００７４】
図７及び図８に示すように、後側の係合部分４１０Ｃは第３壁部１３０の左端部１３０Ｌに形成された係合凸部１３０Ｔに係合し、前側の係合部分４１０Ｃは第４壁部１４０の左端部１４０Ｌに形成された係合凸部１４０Ｔに係合し、直線部分４１０Ｓは第１副シート３１０に上側から当接している。
【００７５】
こうして、第１押圧部材４１０は、ホルダ１００の左端部１００Ｌに係合するとともに、第１副シート３１０に上側から当接し、第１副シート３１０及び主シート２００を介してＣＩＳモジュール１０１の左端部１０１Ｌを下側に押圧する。この押圧により、ＣＩＳモジュール１０１がホルダ１００に対して上下方向に位置決めされる。
【００７６】
図５、図７及び図８に示すように、第２押圧部材４２０は、バネ線材が折り曲げられてなり、第１押圧部材４１０と同一部材である。第２押圧部材４２０は、第１押圧部材４１０を上下方向に延びる回転軸周りで１８０°回転させただけである。第２押圧部材４２０は、前後方向に延びる直線部分４２０Ｓと、その直線部分４２０Ｓの前後端に連続する一対の係合部分４２０Ｃとを有している。各係合部分４２０Ｃは、左側に向かって下り傾斜し、その先端側がコイル状に折り曲げられている。
【００７７】
図７及び図８に示すように、後側の係合部分４２０Ｃは第３壁部１３０の右端部１３０Ｒに形成された係合凸部１３０Ｔに係合し、前側の係合部分４２０Ｃは第４壁部１４０の右端部１４０Ｒに形成された係合凸部１４０Ｔに係合し、直線部分４２０Ｓは第２副シート３２０に上側から当接している。
【００７８】
こうして、第２押圧部材４２０は、ホルダ１００の右端部１００Ｒに係合するとともに、第２副シート３２０に上側から当接し、第２副シート３２０及び主シート２００を介してＣＩＳモジュール１０１の右端部１０１Ｒを下側に押圧する。この押圧により、ＣＩＳモジュール１０１がホルダ１００に対して上下方向に位置決めされる。
【００７９】
図５に示すように、主シート２００の左右方向の長さＬ２００は、ＣＩＳモジュール１０１の左右方向の長さＬ１０１より小さい。その代りに、図７及び図８に示すように、左側にある第１副シート３１０がＣＩＳモジュール１０１の左端部１０１Ｌまで延びて左端部１０１Ｌを覆うとともに、右側にある第２副シート３２０がＣＩＳモジュール１０１の右端部１０１Ｒまで延びて右端部１０１Ｒを覆う。
【００８０】
下側読取ユニット５５Ｂの上側読取ユニット５５Ａに対する相違点を以下に挙げる。図９及び図１０に示すように、下側読取ユニット５５Ｂでは、ホルダ１００に位置決め部１１０Ｇ、１２０Ｇが形成されていない。
【００８１】
また、第１壁部１１０には、一対の第１突起１１８Ａ、１１８Ｂが形成されている。一対の第１突起１１８Ａ、１１８Ｂは、第１壁部１１０の前後両端において下側に角柱状に突出している。
【００８２】
第２壁部１２０には、一対の第２突起１２８Ａ、１２８Ｂが形成されている。一対の第２突起１２８Ａ、１２８Ｂは、第２壁部１２０の前後両端において下側に角柱状に突出している。
【００８３】
第１副シート３１０には、一対の第１段部３１８Ａ、３１８Ｂが形成されている。一対の第１段部３１８Ａ、３１８Ｂは、第１副シート３１０の左側の前後一対の角部が段差状に切り欠かれてなる。一対の第１段部３１８Ａ、３１８Ｂが一対の第１突起１１８Ａ、１１８Ｂに当接することにより、第１副シート３１０がホルダ１００に位置決めされる。
【００８４】
第２副シート３２０には、一対の第２段部３２８Ａ、３２８Ｂが形成されている。一対の第２段部３２８Ａ、３２８Ｂは、第２副シート３２０の右側の一対の角部が段差状に切り欠かれてなる。一対の第２段部３２８Ａ、３２８Ｂが一対の第２突起１２８Ａ、１２８Ｂに当接することにより、第２副シート３２０がホルダ１００に位置決めされる。
【００８５】
図２〜図４に示すように、下流側搬送部４２は、第１搬送ローラ対４２Ａ、４２Ｂ、４２Ｃと第２搬送ローラ対４２Ｄとを有している。第１搬送ローラ対４２Ａ、４２Ｂ、４２Ｃ及び第２搬送ローラ対４２Ｄは、搬送方向において同じ位置に配されている。第１搬送ローラ対４２Ａ、４２Ｂ、４２Ｃ及び第２搬送ローラ対４２Ｄはそれぞれ、駆動源４０Ｍに駆動されて回転する駆動ローラと、その駆動ローラと対向する従動ローラとからなる。
【００８６】
第１搬送ローラ対４２Ａ、４２Ｂ、４２Ｃは、カード搬送領域２９の外側に位置している。第１搬送ローラ対４２Ａ、４２Ｂ、４２Ｃは、第１ガイド部１０において搬送されるシートＳＨをニップして回転し、シートＳＨを排出口１３から筐体３０の外部に排出する。第２搬送ローラ対４２Ｄは、カード搬送領域２９の内側に位置している。第２搬送ローラ対４２Ｄは、カード搬送領域２９において画像が読み取られたカードＣＡをニップして回転し、カードＣＡを排出口１３の右端側から筐体３０の外部に排出する。また、第２搬送ローラ対４２Ｄは、シートＳＨがカード搬送領域２９を通過する程度に幅が広い場合に、そのシートＳＨをニップして排出口１３から筐体３０の外部に排出する。
【００８７】
図１及び図３に示すように、タッチパネル７０は、第１筐体３１の内部における上面３１Ａ側に組み付けられている。タッチパネル７０は、上面３１Ａにくり抜かれた矩形状のタッチパネル用開口３１Ｈにより外部に露出している。タッチパネル７０は、回路基板５４に制御されて、画像読取動作の処理状況やエラー状況等である画像読取装置１の稼働状況等を表示する。また、タッチパネル７０は、外部から画像読取処理等に関する操作を受け付けて、回路基板５４に伝達する。
【００８８】
＜シート及びカードの画像読取動作＞
この画像読取装置１では、以下のようにして、シートＳＨ及びカードＣＡの画像が読み取られる。
【００８９】
図１及び図３に示すように、シートＳＨの画像が読み取られる場合、ユーザにより、トレイ３６が開いた状態とされる。トレイ３６が開いた状態であれば、その状態が維持される。そして、ユーザにより、トレイ３６にシートＳＨが載置される。回路基板５４は、タッチパネル７０からシートＳＨの読取指示があった場合等に、図示しないシート検出センサによってトレイ３６の保持面３６ＨにシートＳＨが保持されていることを確認した上で、シートＳＨの画像読取動作を開始する。
【００９０】
そうすると、回路基板５４は、駆動源４０Ｍに駆動力を発生させるように制御する。これにより、まず、分離ローラ４８が分離パッド４９とシートＳＨを挟みながら回転する。分離ローラ４８は、トレイ３６上のシートＳＨを第１導入口１１から導入し、シートＳＨを第１ガイド部１０に送り出す。この際、複数枚のシートＳＨが重なった状態で搬送されようとしている場合、分離パッド４９とシートＳＨとの間の摩擦力などにより、シートＳＨが一枚ずつ分離され得る。
【００９１】
次に、上流側搬送部４１の第１搬送ローラ対４１Ａ、４１Ｂ及び第２搬送ローラ対４１Ｄによって、分離ローラ４８に送り出されたシートＳＨを第１ガイド部１０において搬送する。第１ガイド部１０において搬送されるシートＳＨの両面の画像が読取ユニット５５を構成する上下２個のＣＩＳモジュール１０１により読み取られる。画像が読み取られたシートＳＨは、下流側搬送部４２の第１搬送ローラ対４２Ａ、４２Ｂ、４２Ｃ及び第２搬送ローラ対４２Ｄによって、排出口１３から筐体３０の外部に排出される。
【００９２】
一方、図４に示すように、カードＣＡの画像が読み取られる場合、ユーザにより、トレイ３６が閉じた状態とされる。トレイ３６が閉じた状態であれば、その状態が維持される。そして、図２に示すように、ユーザにより、カードＣＡが筐体３０の後側から第２導入口１２に差し込まれる。そうすると、カードＣＡは、第２ガイド部２０を通過し、その先端がカード搬送領域２９に到達する。回路基板５４は、タッチパネル７０からカードＣＡの読取指示があった場合等に、図示しないカード検出センサによって第２導入口１２からカードＣＡが挿入されていることを確認した上で、カードＣＡの画像読取動作を開始する。
【００９３】
そうすると、回路基板５４は、駆動源４０Ｍに駆動力を発生させるように制御する。これにより、上流側搬送部４１の第２搬送ローラ対４１Ｄによって、カード搬送領域２９においてカードＣＡを搬送する。カード搬送領域２９において搬送されるカードＣＡの両面の画像が読取ユニット５５を構成する上下２個のＣＩＳモジュール１０１により読み取られる。図３に示すように、画像が読み取られたカードＣＡは、下流側搬送部４２の第２搬送ローラ対４２Ｄによって、排出口１３の右端側から筐体３０の外部に排出される。
【００９４】
＜作用効果＞
実施例の画像読取装置１では、上側読取ユニット５５Ａにおいて、上記従来の画像読取装置が有していた底壁部をホルダ１００から無くし、その代わりに、上記構成を有する主シート２００、第１副シート３１０、第２副シート３２０、第１押圧部材４１０及び第２押圧部材４２０によって収容部１００Ａを塞ぐことにより、薄型化を実現している。
【００９５】
ここで、仮に、第１副シート３１０及び第２副シート３２０が無く、主シート２００の左端部２００Ｌが下側に屈曲して、第３壁部１３０の左端部１３０Ｌに後側から当接し、第４壁部１４０の左端部１４０Ｌに前側から当接するとともに、主シート２００の右端部２００Ｒが下側に屈曲して、第３壁部１３０の右端部１３０Ｒに後側から当接し、第４壁部１４０の右端部１４０Ｒに前側から当接する構成を考える。この場合、簡素ではあるが、主シート２００の左端部２００Ｌ及び右端部２００Ｒが下側に屈曲する際の復元力によって上側に膨らみ易いので、第１押圧部材４１０及び第２押圧部材４２０を上側に押し戻してしまう場合がある。この場合、主シート２００と、第１壁部１１０、第２壁部１２０、第３壁部１３０及び第４壁部１４０との間で隙間が生じ、異物が収容部１００Ａに進入し易くなる。また、主シート２００の左端部２００Ｌ及び右端部２００Ｒが下側に屈曲する際の復元力を弱めるため、第３壁部１３０及び第４壁部１４０に沿って前後方向に延びるように切り欠かれたスリットが主シート２００に形成されることが考えられるが、そのようなスリットを介して異物が収容部に進入し易くなる。
【００９６】
この点、実施例の画像読取装置１では、図５〜図８に示すように、第１副シート３１０が下側に屈曲して、第３壁部１３０の左端部１３０Ｌに後側から当接し、第４壁部１４０の左端部１４０Ｌに前側から当接する。第２副シート３２０が下側に屈曲して、第３壁部１３０の右端部１３０Ｒに後側から当接し、第４壁部１４０の右端部１４０Ｒに前側から当接する。
【００９７】
そして、第１副シート３１０に形成された一対のスリット３１９Ａ、３１９Ｂは、第３壁部１３０及び第４壁部１４０に沿って左側から右側に向かって延びるように切り欠かれている。第２副シート３２０に形成された一対のスリット３２９Ａ、３２９Ｂは、第３壁部１３０及び第４壁部１４０に沿って右側から左側に向かって延びるように切り欠かれている。
【００９８】
このようなスリット３１９Ａ、３１９Ｂ、３２９Ａ、３２９Ｂにより、第１副シート３１０及び第２副シート３２０は、下側に屈曲する際の復元力が小さくなるので、上側に膨らみ難く、第１押圧部材４１０及び第２押圧部材４２０を上側に押し戻し難い。このため、第１押圧部材４１０及び第２押圧部材４２０は、第１副シート３１０、第２副シート３２０及び主シート２００を介してＣＩＳモジュール１０１を下側に好適に押圧でき、収容部１００Ａを主シート２００、第１副シート３１０及び第２副シート３２０によって確実に塞ぐことができる。その結果、この画像読取装置１では、紙粉等の異物が収容部１００Ａに進入してＣＩＳモジュール１０１やコンタクトガラス１０９に付着することを抑制できる。
【００９９】
下側読取ユニット５５Ｂは、上側読取ユニット５５Ａと部品構成が同じである。このため、この画像読取装置１では、下側読取ユニット５５Ｂにおいても、同様の作用効果を奏することができる。
【０１００】
したがって、実施例の画像読取装置１では、薄型化を実現しつつ、ＣＩＳモジュール１０１の画像読取品質の低下を抑制できる。
【０１０１】
また、この画像読取装置１では、上側読取ユニット５５Ａにおいて、第１副シート３１０が第３壁部１３０の左端部１３０Ｌ及び第４壁部１４０の左端部１４０Ｌに接着層３１０Ｂを介して接着されている。第２副シート３２０が第３壁部１３０の右端部１３０Ｒ及び第４壁部１４０の右端部１４０Ｒに接着層３２０Ｂを介して接着されている。これにより、この画像読取装置１では、第１副シート３１０と第３壁部１３０の左端部１３０Ｌ及び第４壁部１４０の左端部１４０Ｌとの密着性が向上し、第２副シート３２０と第３壁部１３０の右端部１３０Ｒ及び第４壁部１４０の右端部１４０Ｒとの密着性が向上する。その結果、この画像読取装置１では、収容部１００Ａを主シート２００、第１副シート３１０及び第２副シート３２０によって一層確実に塞ぐことができる。下側読取ユニット５５Ｂについても同様である。
【０１０２】
さらに、この画像読取装置１では、上側読取ユニット５５Ａにおいて、各スリット３１９Ａ、３１９Ｂ、３２９Ａ、３２９Ｂは、左右方向に延びた後に前後方向に屈曲するように切り欠かれている。これにより、この画像読取装置１では、第１副シート３１０及び第２副シート３２０が下側に屈曲する際の復元力が一層小さくなるので、上側に一層膨らみ難い。下側読取ユニット５５Ｂについても同様である。
【０１０３】
また、この画像読取装置１では、図７及び図８に示すように、上側読取ユニット５５Ａにおいて、第１壁部１１０の外面１１５に形成された位置決め部１１０Ｇに対して第１副シート３１０が右側に離間し、第２壁部１２０の外面１２５に形成された位置決め部１２０Ｇに対して第２副シート３２０が左側に離間している。これにより、この画像読取装置１では、位置決め部１１０Ｇ、１２０Ｇが第１副シート３１０及び第２副シート３２０に邪魔されることなく、ホルダ１００を位置決めできる。
【０１０４】
さらに、この画像読取装置１では、図７及び図８に示すように、上側読取ユニット５５Ａにおいて、第１副シート３１０が第１規制部１３１Ｌ、１４１Ｌを前側及び後側から覆い、第２副シート３２０が第２規制部１３１Ｒ、１４１Ｒを前側及び後側から覆っている。このような第１副シート３１０及び第２副シート３２０により、この画像読取装置１では、第１規制部１３１Ｌ、１４１Ｌ及び第２規制部１３１Ｒ、１４１Ｒからの異物の進入も抑制できる。下側読取ユニット５５Ｂについても同様である。
【０１０５】
また、この画像読取装置１では、図９及び図１０に示すように、下側読取ユニット５５Ｂにおいて、第１壁部１１０に形成された一対の第１突起１１８Ａ、１１８Ｂに、第１副シート３１０に形成された一対の第１段部３１８Ａ、３１８Ｂが当接することにより、第１副シート３１０をホルダ１００の左端部１００Ｌに対して位置決めし易い。また、第２壁部１２０に形成された一対の第２突起１２８Ａ、１２８Ｂに、第２副シート３２０に形成された一対の第２段部３２８Ａ、３２８Ｂが当接することにより、第２副シート３２０をホルダ１００の右端部１００Ｒに対して位置決めし易い。さらに、主シート２００の左右方向の長さＬ２００がＣＩＳモジュール１０１の左右方向の長さＬ１０１より小さい代わりに、左側にある第１副シート３１０が一対の第１突起１１８Ａ、１１８Ｂの間でＣＩＳモジュール１０１の左端部１０１Ｌまで延びて左端部１０１Ｌを覆うとともに、右側にある第２副シート３２０が一対の第２突起１２８Ａ、１２８Ｂの間でＣＩＳモジュール１０１の右端部１０１Ｒまで延びて右端部１０１Ｒを覆う。これにより、この画像読取装置１では、収容部１００Ａ全体を主シート２００、第１副シート３１０及び第２副シート３２０によって確実に塞ぐことができる。
【０１０６】
以上において、本発明を実施例に即して説明したが、本発明は上記実施例に制限されるものではなく、その趣旨を逸脱しない範囲で適宜変更して適用できることはいうまでもない。
【符号の説明】
【０１０７】
１…画像読取装置、１０１…読取部（ＣＩＳモジュール）、１００…ホルダ
１１０…第１壁部、１２０…第２壁部、１３０…第３壁部、１４０…第４壁部
１００Ａ…収容部、１０９…読取窓（コンタクトガラス）
２００…主シート、３１０…第１副シート、３２０…第２副シート
４１０…第１押圧部材、４２０…第２押圧部材
２００Ｌ…主シートにおける第１方向の一端部（左端部）
２００Ｒ…主シートにおける第１方向の他端部（右端部）
１３０Ｌ…第３壁部における第１方向の一端部（左端部）
１３０Ｒ…第３壁部における第１方向の他端部（右端部）
１４０Ｌ…第４壁部における第１方向の一端部（左端部）
１４０Ｒ…第４壁部における第１方向の他端部（右端部）
１００Ｌ…ホルダにおける第１方向の一端部（左端部）
１００Ｒ…ホルダにおける第１方向の他端部（右端部）
１０１Ｌ…読取部における第１方向の一端部（左端部）
１０１Ｒ…読取部における第１方向の他端部（右端部）
３１９Ａ、３１９Ｂ、３２９Ａ、３２９Ｂ…一対のスリット
Ｌ２００…主シートの第１方向の長さ、Ｌ１０１…読取部の第１方向の長さ
１１８Ａ、１１８Ｂ…一対の第１突起、１２８Ａ、１２８Ｂ…一対の第２突起
３１８Ａ、３１８Ｂ…一対の第１段部、３２８Ａ、３２８Ｂ…一対の第２段部
１１５…第１壁部における収容部とは反対側を向く外面
１２５…第２壁部における収容部とは反対側を向く外面
３１０Ｂ、３２０Ｂ…接着層、１１０Ｇ、１２０Ｇ…位置決め部
１３１Ｌ、１４１Ｌ…第１規制部、１３１Ｒ、１４１Ｒ…第２規制部
【図１】
2015050503.tif 000003
【図２】
2015050503.tif 000004
【図３】
2015050503.tif 000005
【図４】
2015050503.tif 000006
【図５】
2015050503.tif 000007
【図６】
2015050503.tif 000008
【図７】
2015050503.tif 000009
【図８】
2015050503.tif 000010
【図９】
2015050503.tif 000011
【図１０】
2015050503.tif 000012